(57)【要約】【課題】外形に段部のある物品を緩衝支持した状態でしっかりと支持できる梱包箱用の支持部材を提供すること。【解決手段】箱本体２と該箱本体内に嵌め込まれて物品を支持する支持部材３とを備え、支持部材は、底板６と底板の両側部から立ち上がる一対の壁部材７、８とを有する支持部材本体と、支持部材本体の両端部に切り込みを利用して一対の壁部材と直角に取り付けられる一対の側壁２０、３０とを備え、一対の壁部材の中間部には上に開く切り欠き凹部１６が形成され、切り欠き凹部１６の両縁部に入れた切り目によって切り欠き凹部の部分の紙片の両側部を壁部材から切り離し、折り目で箱状に折り曲げ、物品の段部を受ける受け台５０とした。【選択図】図１
2009107676.tif 000002
【特許請求の範囲】
【請求項１】
箱本体の内部に収納されて物品を支持する支持部材であって、
前記支持部材は、
底板と該底板の両側部から立ち上がる一対の壁部材とを有する支持部材本体と、
前記支持部材本体の両端部に切り込みを利用して取り付けられる一対の側壁と、を備え、
前記壁部材の中間部には上に開く切り欠き凹部が形成されていて、
前記切り欠き凹部の両縁部に入れた切り目によって前記切り欠き凹部の部分片の両側部を壁部材から切り離して底板上へ折り曲げるとともに、前記部分片を複数の折り目によって箱状に折り曲げて前記底板上に載置することにより、物品の段部を受ける受け台が形成されている、支持部材。
【請求項２】
前記受け台には、底板に形成したスリットに挿通される突起が形成され、該突起には、前記底板の裏面に係合する反り部が形成されている請求項１に記載の支持部材。
【発明の詳細な説明】
【技術分野】
【０００１】
本発明は、複写機やプリンター等の画像形成装置に用いるサービスパーツや消耗部品あるいは、電子機器等の物品を緩衝支持した状態で収納するに適した支持部材に関するものである。
【背景技術】
【０００２】
従来、画像形成装置に用いる各種部品等の梱包には、緩衝支持のために発泡スチロール塊等を梱包箱に詰め込んでいた。しかしながら、発泡スチロールは焼却時に有害ガスを発生する等の問題があり、環境保全上の見地から使用が好ましくないので、発泡スチロールを用いないか、またはその使用量を極力少なくしても物品をうまく緩衝支持できる梱包方法に対する要求が高くなっている。
【０００３】
このため、梱包材料である段ボール紙を利用して、緩衝効果を得る構造がいろいろ提案されている。その例を下記特許文献に示す。
【０００４】
下記特許文献１に開示されているものは、梱包箱内に格子状の仕切部を収納して区画した複数の収納部に、突起部を有する物品を収納するもので、前記収納部の大きさは、突起部を除く物品を収納でき、かつ突起部を含む物品を収納できない大きさとするとともに、仕切部の面に、収納した物品の突起部が挿通される挿通孔を形成したものである。
【０００５】
また、下記特許文献２に開示されているものは、段ボール製箱体と、収容物品の離隔用仕切り部材とからなり、前記仕切り部材は、収納物品に対して弾性的に折り曲げ可能な折り曲げ片を有する段ボール材で構成し、この折り曲げ片を箱体と収容物品との隙間に折り曲げて配置するものである。
【特許文献１】特開平０８−１１９２５５号公報
【特許文献２】特開平０９−３１５４２３号公報
【発明の開示】
【発明が解決しようとする課題】
【０００６】
上記特許文献１に記載の梱包箱は、もっぱら栓刃付きトランスのような突起部のある物品に使用するもので、突起部のない物品の梱包には適していない。また、特許文献２に記載の梱包箱は、折り曲げ片の弾力で緩衝効果を得るものであるから、大きな物品の場合は、緩衝効果がそれほど期待できないという問題がある。また、底面に段部のある物品を荷重が偏って底板に付加されないようにするための配慮はなされていない。
【０００７】
一方、梱包する物品に肉厚が変化する段部がある場合は、底板上に載置したときに、当該段部の片側（肉薄側）が底板に接触しないので支持力が低下するとともに、段部の境界部で底板に加わる力が急激に変化するので、衝撃力が作用したときにこの部分で底板が塑性変形して、支持力が低下するという問題があった。
【０００８】
そこで本発明は、段部のある物品でも、底板に無理な力が掛らないように支持することができ、応力集中による底板の変形を防止できる支持部材を提供することを目的としている。
【課題を解決するための手段】
【０００９】
上記課題を解決するため、第１の本発明は、箱本体の内部に収納されて物品を支持する支持部材であって、
前記支持部材は、
底板と該底板の両側部から立ち上がる一対の壁部材とを有する支持部材本体と、
前記支持部材本体の両端部に切り込みを利用して取り付けられる一対の側壁と、を備え、
前記壁部材の中間部には上に開く切り欠き凹部が形成されていて、
当該切り欠き凹部の両縁部に入れた切り目によって該切り欠き凹部の部分片の両側部を壁部材から切り離して底板上へ折り曲げるとともに、前記部分片を複数の折り目によって箱状に折り曲げて前記底板上に載置することにより、物品の段部を受ける受け台が形成されている、支持部材である。
【００１０】
また、第２の本発明は、上記受け台に、底板に形成したスリットに挿通される突起が形成され、該突起には、前記底板の裏面に係合する反り部が形成されている、上記第１の本発明の支持部材である。
【発明の効果】
【００１１】
本発明は、底面に段部のある物品でも、底板に無理な力が作用しないように支持することができ、底板の変形を防止できる。
【発明を実施するための最良の形態】
【００１２】
以下、本発明の実施形態について図面に基づいて具体的に説明する。図１は、本発明に係る支持部材の構造を示すとともに、物品梱包箱１（以下「梱包箱」と略すこともある）を表している。
【００１３】
同図に示すとおり、梱包箱１は、箱本体２と支持部材３とを備えている。箱本体２は通常使用される段ボール箱であり、支持部材３は、複数の弾力のある段ボール紙片を折り曲げて組み立てられている。
【００１４】
図２ないし図５は、支持部材３を構成する段ボール紙片の展開図を表すもので、図２は支持部材３の本体５を表す。この本体５は、底板６の両端部に縦方向の側壁となる壁部分７、８が折り曲げ（図では谷折り）可能に一体形成されている。また、底板６の左側には水平に伸びる延長部９が一体形成され、その端部に外縁部１０がＴ字状に一体形成されている。外縁部１０の両端部は前記壁部分７、８とつながっており、当該壁部分７、８と同様に谷折りされて起立させられる。
【００１５】
本体５の底板６の右側には、水平に伸びる延長部１１が一体形成されているが、この延長部１１の端部は他の部分から切り離された自由端部となっている。また、底板６の前記壁部分７との連結部には窓状の穴１３が形成され、他方の壁部分８の手前部分には、スリット１４が形成されている。このスリット１４は、後述の受け台を固定するためのものであり、穴１３は、底板６の強度を低減し、緩衝効果を得るためのものである。
【００１６】
さらに、前記壁部分７には、起立時に上に切欠の開口部が向く角型の切り欠き凹部１５（以下、これを単に上に開く切り欠き凹部とも呼ぶ）が形成され、他方の壁部分８には、前記切り欠き凹部１５よりも若干小さい同様な凹部１６が形成されている。したがって、切り欠き凹部１５の両縁部１５ａ、１５ｂの間隔Ａは、他方の切り欠き凹部１６の両縁部１６ａ、１６ｂの間隔Ｂよりも大きくなっている。なお、図２の展開図では、切り欠き凹部１６の内側に、折り曲げ用の紙片Ｓが残されている。これらの切り欠き凹部１５、１６は、壁部分の強度を調整して緩衝能力（弾性変形能力）を高めるためのもので、これを設けておけば、落下時において内部の物品が衝撃で壁部分７、８に押し付けられたときに、当該壁部が弾性変形することにより、収納物品には直接衝撃が伝わりにくいという、適度の緩衝効果（緩衝能力の改善）が得られるのである。尚、後述する、上に開く凹部２５，３１（図３，４参照）も緩衝能力を改善するための調整用の切り欠き部である。
【００１７】
尚、本発明の「部分片」の一例が、本実施の形態の折り曲げ用の紙片Ｓに該当する。
【００１８】
なお、上記折り曲げ用の紙片Ｓは後述の受け台５０形成用の紙片であり、その両縁部から底部の一部まで入れた切り目１８によって壁部材８から切り離されており、底部だけが壁部材８とつながっている。図の破線１８は折り目であり、底部の折り目１８に沿ってこの紙片を底板上に折り曲げれば、切り欠き凹部１６が形成される。またこの紙片Ｓを折り目１８に沿って断面コ字型に折り曲げることにより、この紙片Ｓを箱状の受け台５０に形成することができる。紙片Ｓの５１で示す部分は突起であり、５２で示す部分は反り部である。また、５３で示す受け台の底部は、突起５１を切り抜いた残りの部分であり、底板６と平行に折り返されて該底板６上に載置される。
【００１９】
前記壁部分７、８の一方の端部には上に開く切り込み７ａ、８ａが形成されている。また、壁部分７、８の他方の端部には、起立時に下に開く切り込み７ｂ、８ｂが形成されている。これらの切り込みは、支持部材の組み立て時に他の紙片の嵌合固定に利用される。さらに、これら壁部分７、８の起立時に下側に位置する部分には、それぞれ脚部７ｃ、７ｃ、８ｃ、８ｃが一体に形成されている。なお、この支持部材の本体５は、１枚の段ボール紙で形成されている。
【００２０】
図３は、左側の側壁２０をなす段ボール紙片であり、この側壁２０には、上に張り出す折り曲げ片２１が一体に形成されている。また、この側壁２０の両端部付近には上に開く切り込み２２、２３が形成されている。側壁２０の幅方向の中心よりも一方に偏った部分には、上に開く凹部２５が形成されている。この凹部２５の中間部には、前記切り込み２３の下方に嵌り込む直角方向の小さな凹部２６が形成されている。これら折り曲げ片２１、凹部２５等が形成されている側と反対側の部分が脚部２７となる。
【００２１】
図４は、右側の側壁３０をなす段ボール紙片であり、この側壁３０の起立時に上側となる部分の中央部には、上に開く凹部３１が形成されており、起立時に下側になる部分の中央部には角型の凹部３２が形成されている。この凹部３２の左右両側の部分が脚部３３、３４となっており、これら脚部３３、３４にはそれぞれ下に開く切り込み３３ａ、３４ａが形成されている。これらの切り込み３３ａ、３４ａには、前記壁部材７、８の端部付近に形成した切り込み７ａ、８ａがそれぞれ係合する。
【００２２】
図５は、物品の上に被せられる天板４０となる段ボール紙片であり、図示例では前後左右に対称的に形成されており、中央部の両側に台形状の凹部４１、４２が形成されている。これら凹部の両側には、拡径部４３、４４が形成され、これら拡径部４３、４４には、外側から中心部に向かって切り込まれた切り込み４５それぞれ形成されている。これら切り込み４５の深さＬはすべて同じとなっている。また、拡径部４３、４４の先端部には、折り曲げ片４３ｃ、４４ｃが一体に形成されている。
【００２３】
図６は、これら各段ボール紙片を組み合わせて、天板４０以外の支持部材３を成形した状態を表す。同図からわかるように、この支持部材３は、段ボール紙片を、該段ボール紙片に形成した切り込み同士を嵌合することにより結合一体化するので、組み立ては簡単であり、しかも強固な結合力が得られる。なお、各紙片に設けられている切り欠き凹部は、そのサイズを調整することで、該段ボール紙片の弾性変形能を高めて緩衝効果を向上させるためのものである。
【００２４】
図６に示すように、底板６の一方の縁部、すなわち前記壁部材８の切り欠き凹部に隣接する部分には、前記段ボール紙片Ｓを断面コ字型に折り曲げて形成した箱状の受け台５０が底板６上に載置された状態で設けられている。図７（ｂ）、（ｃ）に示すように、この受け台５０には、下向きに突出する突起５１が一体に設けられており、この突起５１が底板６に形成されているスリット１４に挿通されている。突起５１の先端部付近には反り部５２が形成されていて、この反り部５２は若干変形させて無理嵌め式に上記スリット１４に挿通するが、挿通後は底板６の裏面（下面）に係合するので、底板６が突起５１によって吊られた状態で支持される。このため、底板が下向きに変形しにくくなっている。ここで、図７（ｂ）は、本実施の形態の支持部材３’のＡ−Ａ矢視断面図（図１１参照）において、説明のために物品Ｐを載置した状態を示す図である。また、図７（ｃ）は、本実施の形態の支持部材３’のＢ−Ｂ矢視断面図（図１１参照）において、説明のために物品Ｐを載置した状態を示す図である。
【００２５】
つぎに、図７（ａ）は、この支持部材３に載置される物品Ｐを表す斜視図である。この物品Ｐは、概略四角形の画像形成装置に用いるサービスパーツであり、一方のコーナー部付近に三角状の切欠部Ｋが形成されている。また、この物品の一方の側縁部には、肉の薄い段部Ｄが形成されている。この物品Ｐは、段部Ｄが形成されている方を下にして底板６上に載置され、前記段部Ｄは、前記段ボール紙片Ｓを断面コ字型に折り曲げて形成した箱状の受け台５０上に載置される。このため、落下時の衝撃で物品が傾斜することが無いので、段部Ｄと底板との境界部ＤＬにおいて、その衝撃力が集中してかかることも無い。従って、境界部ＤＬで底板が変形して元の形状にもどらないとった状態になることが避けられる。なお、物品Ｐの周囲は、前記壁部分７、８及び側壁２０、３０の面にほぼ接した状態で囲まれている。
【００２６】
図８は、上記のように支持部材３に支持された物品Ｐの上に天板４０を被せた状態を表す。この天板４０は、図９に示すように、両端部の折り曲げ片４３ｃ、４４ｃを上向きに折り曲げておく。天板４０の一方の側の切り込み４５には、一方の側の壁部分８の切り欠き凹部１６の両縁部１６ａ、１６ｂが嵌合片としてそれぞれ嵌合し、他方の側の切り込み４５には、他方の側の壁部分７の切り欠き凹部１５の両縁部１５ａ、１５ｂが嵌合片としてそれぞれ嵌合する。
【００２７】
この支持部材３は、箱本体２に収納し、この支持部材３の底板６上に物品を載置した状態で天板４０をその上から被せて固定する。そして、必要に応じて発泡スチロール等のパッキン材を充填し（充填しなくてもよい）、箱本体２の開口を閉じることにより、梱包が完了する。この場合、物品Ｐは、支持部材３の壁部分７、８と、両側の側壁２０、３０で囲まれて支持されるので、しっかりと保持される。また、支持部材３は、弾力のある段ボール紙で製作されているので、緩衝効果も優れている。さらに、支持部材の折り曲げ片２１と、天板４０の折り曲げ片４３ｃ、４４ｃが若干折り曲げられた状態で箱本体２の内壁に接触するので、これらによってもクッション効果が得られ、支持部材３が箱本体内に緩衝状態で支持される。
【００２８】
次に、本実施の形態の天板４０の切り込み４５の深さＬを全て同じに設定した理由について更に説明する。
【００２９】
上述した通り、支持部材本体５に設けられた切り欠き凹部１５，１６の大きさと位置は、緩衝能力を調整するために、それぞれ異なり得る。そのため、物品Ｐの収納スペースを仕切るための、本体５の壁部分７、８の内側への出代Ａ１、Ａ２、Ｂ１、Ｂ２の幅が全て異なることが生じる（図８参照）。
【００３０】
従って、上記実施の形態で説明したのと異なり、天板４０の切り欠き４５を、異なる幅の出代Ａ１、Ａ２、Ｂ１、Ｂ２に合わせて形成することも可能である。
【００３１】
しかし、このように各嵌合の寸法に適合した、異なる深さの切り込みを形成した天板を使用すると、実際の梱包作業時には、天板の向きを考慮しながら組み付けなければならないので、作業効率が悪く手間がかかる。
【００３２】
そこで本実施の形態の支持部材の構成によれば、物品の緩衝能力を向上させるとともに、天板の挿入する向きを考慮しなくても、簡単に組み立てできるので、作業効率も向上するという効果を発揮する。
【００３３】
以上述べたとおり、本発明に係る支持部材は、箱本体に収納される支持部材の底板上に載置された物品を一対の壁部材と一対の側壁とで囲んで支持し、その上に天板を被せて保護するので、物品の支持が確実である。上記天板には複数の切り込みが形成され、支持部材側に形成した切り欠き凹部の両縁部を上記複数の切り込みに嵌合することにより該天板を固定するので、強度的に優れている。また、前記切り欠き凹部は、壁部材の衝撃による弾性変形能力を高めることにより緩衝能力を向上させるためのものであって、物品を効果的に緩衝支持するためのものであるが、この切り欠き凹部の両縁部を天板の切り込みに対する嵌合片として利用するので、別途嵌合片を形成する必要がなく、構造的に簡単である。さらに、天板の前記複数の切り込みはすべて十分な深さで、かつ同一深さに形成されているので、嵌合片の寸法が変化する場合でも同じ天板を共用することができ、しかも組み立て時には天板の向きを気にしなくても嵌合させることができるので、実際の梱包作業時に余計な注意をする必要がなく、能率的かつ容易に梱包作業を行うことができる。
【００３４】
尚、上記実施の形態では、支持部材の中に天板４０を含む構成について説明したが、これに限らず例えば、天板を含まない構成でも良い。
【００３５】
また、上記実施の形態では、天板４０の切り込み４５の深さＬを同一にした場合について説明したが、これに限らず例えば、切り込みの深さは、それぞれ異なっていても良い。
【００３６】
また、上記実施の形態では、本発明の「切り欠き凹部」の一例である切り欠き凹部１６が、壁部分の強度の調整を兼ねており、その強度の調整によって支持部材３の緩衝能力（弾性変形能力）を高めるための機能をも兼用している場合について説明した。しかし、これに限らず例えば、本発明の「切り欠き凹部の部分片」の一例である折り曲げ用の紙片Ｓを切り起こした後に出来る切り欠き凹部１６が、上記緩衝能力を高めるための機能を発揮するか否かを問わない構成であっても良い。
【００３７】
また、上記実施の形態では、壁部分の強度を調整して弾性変形能力を高めるための機能を有する凹部（１５，１６，３１，２５）が、物品を収納するスペースの４方の側壁のそれぞれに形成されている場合について説明したが、これに限らず例えば、その様な機能を有する凹部を設けなくても良いし、設けるとしても、壁部分７，８と、左側の側壁２０と右側の側壁３０の内の何れか一つに形成して良いし、何れか複数のカ所に形成しても良い。
【産業上の利用可能性】
【００３８】
本発明に係る支持部材は、複写器やプリンター等の画像形成装置に用いるサービスパーツや消耗品あるいは、電子機器等の物品を緩衝支持した状態で収納するに適した支持部材の分野で効果的に使用することができ、段部のある物品でも、底板に無理な力が掛らないように支持することができ、応力集中による底板の変形を防止できる支持部材を提供することができる。
【図面の簡単な説明】
【００３９】
【図１】本実施の形態の梱包箱と支持部材の構成を表す斜視図
【図２】本実施の形態の支持部材本体の展開図
【図３】本実施の形態の一方の側壁の正面図
【図４】本実施の形態の他方の側壁の正面図
【図５】本実施の形態の天板の平面図
【図６】本実施の形態の支持部材の組み立て状態を表す斜視図
【図７】（ａ）本実施の形態の支持部材３において載置される物品Ｐを表す斜視図  （ｂ）本実施の形態の支持部材３のＡ−Ａ矢視断面図において、説明のために物品Ｐを載置した状態を示す図  （ｃ）本実施の形態の支持部材３のＢ−Ｂ矢視断面図において、説明のために物品Ｐを載置した状態を示す図
【図８】本実施の形態の天板を被せた状態を表す斜視図
【図９】本実施の形態の天板の斜視図
【符号の説明】
【００４０】
１        物品梱包箱（梱包箱）
２        箱本体
３        支持部材
５        支持部材本体
６        底板
７        壁部分
８        壁部分
１５        切り欠き凹部
１６        切り欠き凹部
２０        側壁
３０        側壁
４０        天板
４５        切り込み
５０        受け台
５１        突起
５２        反り部
５３        受け台の底部
【図１】
2009107676.tif 000003
【図２】
2009107676.tif 000004
【図３】
2009107676.tif 000005
【図４】
2009107676.tif 000006
【図５】
2009107676.tif 000007
【図６】
2009107676.tif 000008
【図７】
2009107676.tif 000009
【図８】
2009107676.tif 000010
【図９】
2009107676.tif 000011